(57)【要約】【課題】おむつの交換時の飼い主の着脱の手間を省いた鳥ペット用おむつを提供する。【解決手段】２つの穴に鳥の脚を通して装着する本体と、取り外し可能なおむつからなる構造であり、おむつに芯を設けることを特徴とし、本体を装着していれば糞尿で汚れた時におむつの部分だけを取り外し、糞尿の処理をして本体に再度取り付けるだけでおむつの交換ができ、従来品の肩紐を羽から外したりかけたりする手間が省けおむつの交換に要する時間が従来品より短縮できる構造とした。【選択図】図１
2015112093.tif 000002
【特許請求の範囲】
【請求項１】
鳥のペットに着用する鳥ペット用おむつであって、２つの穴に鳥の脚を通して装着する鳥ペット用おむつ。
【請求項２】
請求項１またはその他の方法で鳥ペットに装着する物に連結して使用する、取り外し可能な糞尿を受け止める袋状のものを有する鳥ペット用おむつ。
【請求項３】
請求項２に芯をもうける事により適度な空間を持たせた袋状のものを有する鳥ペット用おむつ。
【発明の詳細な説明】
【技術分野】
【０００１】
本発明は、ペットの鳥にはかせる事により装着する本体と、本体と取り外し可能な糞尿を溜める袋状の物からなる鳥ペット用おむつに関するものである。
【背景技術】
【０００２】
特許文献１に基づく従来品はおむつ交換の際、一度従来品全てを脱がせ糞尿の始末をし、新たに清潔な従来品を装着して使用するが、この作業を一日の内に何回もする事に大変手間を感じた。そこで、糞尿で汚れた部分だけを取り外し交換できる鳥用おむつの必要性を感じた。
【０００３】
鳥ペットの中でも特に、キジ科特有の体型に合う鳥用おむつがなかった。
【先行技術文献】
【特許文献】
【０００４】
【特許文献１】米国特許第  ５９３４２２６
【特許文献２】特許第  ２５９８２８９
【発明の概要】
【発明が解決しようとする課題】
【０００５】
特許文献１に基づく従来品はおむつの交換の際におむつ全てを脱がさなくてはならないが、特に肩紐を羽から外し脱がす作業が扱う人によって難しさがある。新しいおむつを着せる際も同じく肩紐に羽を通す作業がある為、装着させる側が慣れていないと時間を要し交換する作業が億劫になってしまう。
【０００６】
おむつの交換に時間がかかる事により鳥へのストレスも否定できない。
【０００７】
小動物に対して部品の多い装置を取り付ける事は、誤飲の恐れや体への負担が大きいと判断できるが特許文献２に係る鳥用おむつではそのような考慮がなされていなかった。
【０００８】
屋内で鶏やウズラなどのキジ科をペットにしている飼い主が、ペットのストレス発散の為に放鳥をする際、屋内での糞尿処理で悩んでいる。しかしながら、キジ科の鳥に合うおむつがなかった。
【０００９】
本発明は以上のような欠点をなくすための鳥ペット用おむつを提供するものである。
【課題を解決するための手段】
【００１０】
鳥の脚を通す穴が２つあり、鳥に固定するための肩にかける紐状の物と背でとめるための留め具を有する本体に、取り外しができる鳥の糞尿を受けとめるための袋状のおむつを取り付ける。本発明は以上の構成からなる鳥ペット用おむつである。
【発明の効果】
【００１１】
本体を装着していれば糞尿で汚れた時におむつの部分だけを取り外し、糞尿の処理をして本体に再度取り付けるだけでおむつの交換ができる。従来品の肩紐を羽から外したりかけたりする手間が省けおむつの交換に要する時間が従来品より短縮できる。
【００１２】
鳥の扱いに慣れていなくても従来品より容易におむつの交換ができる。
【００１３】
糞尿の処理の度に羽を触られ嫌がる鳥の姿を見聞きしなくてすむ。
【００１４】
キジ科をペットとする飼い主がおむつの交換の手間が省けるため気軽に屋内に放鳥できるようになる。
【００１５】
初めて鳥用おむつを装着する個体には、まず本体をはかせその個体が本体に慣れるまで時間を設け、次におむつを連結させるといった段階を経ての装着が可能である。
【図面の簡単な説明】
【００１６】
【図１】本発明の側面から見た装着図である。
【図２】本発明本体の展開図である。
【図３】本発明のおむつの側面図である。
【図４】本発明のおむつの平面図である。
【図５】本発明の真上から見た装着図である。
【図６】本発明の真下から見た装着図である。
【発明を実施するための形態】
【００１７】
本発明を実施する形態について図１〜図６に基づいて説明する。図２に示すように本体には鳥の脚を入れるための穴１をあけ、鳥の胸から肩を通って背まで続く紐状の物２を上部につける。この紐状の物２は市販のカン類やスナップ等で調節機能を持たせてもよいし素材についても特に限定はしない。紐状の物２は背の上でとめる留め具３と繋げる。小型のキジ科に用いる場合は抜け出る事を防ぐため肩の上にも留め具４をつけて紐状の物２と繋げる。留め具３および留め具４について限定はしないが、雌雄型留め具を用いる事が一般的であり、雌雄型留め具としては面ファスナー、スナップ、ホック、ボタンとボタンホールなどがある。図１〜図６では面ファスナーを用いた場合を示している。留め具３付近に輪５をつけ散歩用のリードの取り付けができるようにするとよい。本体には適度な通気性と柔軟性が求められるが材質に関して特に限定はしない。おむつと連結させる為対応箇所に留め具６をつける。
【００１８】
おむつの材質は特に指定しないが、透明性の高い材質を用いれば排泄の有無が一目で確認ができ交換のタイミングを計りやすくなる。
【００１９】
おむつは糞尿を受け止める適度な深さと鳥の排泄口を覆う必要がある。しかしながら、飛ぶことよりも地面を歩く事が得意なキジ科の鳥は前傾姿勢でいる事が多い。ゆえに糞尿を受けとめるおむつが装着時に垂れ下がっているとおむつが排泄口を覆っていても排泄時糞尿がおむつの中でおむつの内壁に当たり上手くおむつの下まで落ちず排泄口付近を汚してしまう。従って、おむつは装着時排泄口を覆いかつおむつ内部に適度な空間を保持する必要が求められる。
【００２０】
図３、図４に示すおむつは使用時適度な空間を持たせる為芯８を設けるとよい。図４では芯８を底面に設けているが両側面に設ける等箇所の指定はしない。芯８の形状や固さ、また材質について限定はしない。本体と連結させるため対応箇所に留め具７をつける。
【００２１】
おむつは糞尿が重力と鳥の排泄力により落ちた時、糞尿を漏らさず受けとめることができる安定性を得る為に本体とおむつの連結部分を多く設ける事が必要である。従って本体の穴１に鳥の脚を通す仕様にする事で連結部において従来品より広い面積を確保する。連結部には留め具６、７に雌雄型を用いる事が容易かと思われるが、留め具６，７について種類は特に限定はしない。
【００２２】
おむつは、おむつの中にティッシュ等の吸収体を入れ糞尿で汚れた時にその吸収体を捨てて交換して使用してもよいし、おむつの材質を変える事により使い捨ておむつとして使用してもよい。なお、おむつの材質や使い方は特に限定しない。
【実施例１】
【００２３】
布と面ファスナーを使って試作品を作り実際に烏骨鶏に使用した。本体とおむつの連結部を多く設けている事から鳥の激しい動きに対して外れる事はなく糞尿が漏れる事は無かった。
【００２４】
おむつに設けた芯８の作用でおむつの垂れ下がりを軽減し装着時のおむつに適度な空間を維持する事ができた。
【００２５】
側面の連結部の角度を調整する事で排泄口を覆い、適度な空間を保持する事ができた。
【実施例２】
【００２６】
小型のキジ科であるウズラに留め具４を付けた本体を装着した。留め具４の作用により本体からウズラは抜け出なかった。初めておむつを装着する個体に、本体の装着に慣らした上でおむつを連結させる事によりストレスの少ないスムーズな装着ができた。
【符号の説明】
【００２７】
１  穴
２  紐状の物
３  留め具
４  留め具
５  輪
６  おむつとの連結用留め具
７  おむつとの連結用留め具
８  芯
【図１】
2015112093.tif 000003
【図２】
2015112093.tif 000004
【図３】
2015112093.tif 000005
【図４】
2015112093.tif 000006
【図５】
2015112093.tif 000007
【図６】
2015112093.tif 000008